【事件の表示】
　平成　５年特許願第１５７７３５号「電源装置、放電灯点灯装置および照明装置」拒絶査定に対する審判事件［平成　６年　３月２５日出願公開、特開平　６−　８６５６１］について、次のとおり審決する。
【結　論】
　本件審判の請求は、成り立たない。
【理　由】
【１】手続の経緯・本願発明
　本願は、平成５年６月２８日（優先権主張平成４年６月２６日）の出願であって、その請求項１乃至７に係る発明は、特許法第１７条の２の規定によって平成１３年６月２５日付の手続補正書により補正された明細書及び図面の記載からみて、本願特許請求の範囲の請求項１乃至７に記載されたとおりのものと認められるところ、その請求項１に係る発明（以下、「本願発明」という）は、本願の特許請求の範囲の請求項１に記載されたとおりの、
「低周波の交流電源電圧を全波整流する整流装置と；
　この整流装置の出力端間に設けられた第１の蓄電装置と；
　前記整流装置の入力端間に設けられた第２の蓄電装置と；
　入力される直流電圧をスイッチングするスイッチング装置を有し、前記整流装置および前記第１の蓄電装置の出力側に設けられて前記交流電源よりも高い周波数の電圧を発生するインバータと；
　前記整流装置の出力電圧の波高値が相対的に大きい山部の期間において、前記スイッチング装置のオン期間に電気エネルギーが蓄電されるように配設された第３の蓄電装置と；を具備し、
前記整流装置の出力電圧の波高値が相対的に小さい谷部の期間において、前記スイッチング装置のオフ期間には、前記第３の蓄電装置に蓄電された電気エネルギーが前記第１の蓄電装置に供給され、前記スイッチング装置のオン期間には、前記第１の蓄電装置の電気エネルギーが前記インバータに供給されるとともに、前記第１の蓄電装置の電圧値が第２の蓄電装置の電圧値よりも低くなると第２の蓄電装置から前記インバータに電力供給するように構成された電源装置において、
　前記整流装置は、前記インバータの高い周波数に対し応答速度の速いダイオードを含んでなり、前記スイッチング装置の動作時に前記ダイオードの逆回復時間に流れる逆方向電流を低減したことを特徴とする電源装置。」
　
【２】引用先願明細書
　これに対して、原審での拒絶理由通知に引用したものと解される、本願の出願日前の他の出願であって、その出願後に出願公開された、特願平３−３０４９４６号（特開平５−２１１７７４号；旧特許法４２条の２第３項の規定により、当該他の出願をその優先権主張の基礎とする特願平４−２８１４５８号について出願公開がされた時に当該他の出願について出願公開がされたものとみなされる。）の願書に最初に添付した明細書又は図面（以下「先願明細書」という）には、図面と共に以下の記載事項がある。
｛なお、原審の拒絶理由通知には引用文献２として特願平４−２８１４５８号（特開平５−２１１７７４号公報）が引用されているが、本願の出願日（平成４年６月２６日）前の他の出願は、該引用文献２出願の先の出願である特願平３−３０４９４６号（出願日；平成３年１１月２０日）であることは明らかであるから、上記のとおり解した。｝
a.「【０００２】【従来の技術】従来、この種の電源装置としては図１３に示すものがある。これは交流電源１に・・（中略）・・その高周波インバータ回路８の出力端子にコンデンサ９を介して放電灯１０の各フィラメント電極１０ａ，１０ｂの一端を接続している。」
b.「【０００６】そこで本発明は、入力電流における高調波成分を低減できるものにおいて、小形化、低価格化および構造の簡単化を図ることができるとともにノイズの発生量を減少させることができる電源装置を提供しようとするものである。」
c.「【００１５】図１に示すように、交流電源２１にノイズフィルタ用のインダクタ２２を介してダイオードブリッジからなる全波整流回路２３の入力端子を接続し、その全波整流回路２３の出力端子に第１のコンデンサ２４を並列に接続している。そして前記第１のコンデンサ２４にダイオード２５を順極性に介して第２のコンデンサ２６を並列に接続している。前記第２のコンデンサ２６にダイオード２７を逆極性に介し、さらにインダクタ２８を介して充電用コンデンサ２９を並列に接続している。・・（中略）・・【００１９】また説明を理解し易くするためにインダクタ２８が無く、かつ第２のコンデンサ２６の容量も高周波インバータ回路３０の動作に支障を与えることのないように十分な大きさにした場合には、第２のコンデンサ２６の両端間には図２の（ｂ）に示す電圧Ｖｃ２’が発生する。」
d.「【００２０】高周波インバータ回路３０が・・（中略）・・そこで脈流電圧が充電用コンデンサ２９の充電電圧Ｖｃ６よりも高い区間をＴＡ、低い区間をＴＢとして以下、動作を説明する。（Ａ）ＴＡ区間」
e.「【００２１】ＴＡ区間の任意の時間部分において高周波インバータ回路３０のトランジスタ３２がオンすると、トランス３１の１次巻線３１ａへの電流の供給は第１のコンデンサ２４と第２のコンデンサ２６の両方から行われる。そして第１のコンデンサ２４と第２のコンデンサ２６の合成容量は高周波インバータ回路３０が必要とするエネルギーを与えるに十分な容量となっている。この第１のコンデンサ２４と第２のコンデンサ２６からの電流供給に見合って交流電源２１側からエネルギーが入力電流Ｉ１となって流入する。そして脈流電圧の変化に対応してトランジスタ３２のスイッチング動作に伴うようにこの動作が行われ、交流電圧正弦波値上に沿ってインバータ動作の高周波の微少でかつ等しい振幅がＴＡの全区間に重畳される。」
f.「【００２２】そしてこのＴＡ区間においてトランジスタ３２のオフ時に３次巻線３１ｃから充電用コンデンサ２９への充電が行われる。このＴＡ区間においては充電用コンデンサ２９からインバータ回路３０側への放電は行われない。（Ｂ）ＴＢ区間」
g.「【００２３】充電用コンデンサ２９の充電電圧Ｖｃ６に対して脈流正弦波電圧レベルが低下し始めたときにトランジスタ３２がオンされると、トランス３１の１次巻線３１ａへの電流の供給は第２のコンデンサ２６から行われる。そして第２のコンデンサ２６の容量は高周波インバータ回路３０が必要とするエネルギーを与えるには不十分なため、トランジスタ３２のオン後に１次巻線３１ａに流れる電流が増加するに従って第２のコンデンサ２６の電圧Ｖｃ２は低下する。そして電圧Ｖｃ２が第１のコンデンサ２４の電圧Ｖｃ１まで低下した時点から第２のコンデンサ２６で不足しているインバータ回路３０へのエネルギー供給を第１のコンデンサ２４が行うようになる。
【００２４】そしてこの動作はトランジスタ３２がオフするまで行われるが、第１のコンデンサ２４からのエネルギー供給が開始されてから第２のコンデンサ２６の電圧Ｖｃ２の低下は少なくなる。また第１のコンデンサ２４からインバータ回路３０へのエネルギー供給は、これに見合った分のエネルギーを交流電源２１側から入力電流Ｉ１として流入させる。」
h.「【００２５】一方、充電用コンデンサ２９の充電電圧Ｖｃ６はインダクタ２８の過渡インピーダンスによりエネルギーの放出が遅れ、トランジスタ３２がオフする直前の時点でエネルギーを放出するようになる。そしてトランジスタ３２がオフすると、充電用コンデンサ２９の充電電圧Ｖｃ６はインダクタ２８，ダイオード２７，第２のコンデンサ２６からなる直列回路への電圧供給源となる。ここでインダクタ２８及び第２のコンデンサ２６は振動的共振が得られるように設定されているので第２のコンデンサ２６への充電が正弦波状に行われる。そしてこの充電はインバータ回路３０においてトランジスタ３２が次にオンしたときのエネルギー供給が不足とならないレベルまで高められる。
【００２６】充電用コンデンサ２９の充電電圧Ｖｃ６に対して第１のコンデンサ２４の電圧Ｖｃ１が低下するに従って第２のコンデンサ２６の電圧Ｖｃ２は低下し、それに従いインダクタ２８と第２のコンデンサ２６による振幅が大きくなる。また入力電流Ｉ１は少なくなるが電流は連続して流れ込む。こうして第２のコンデンサ２６の実際の電圧Ｖｃ２は図２の（ｃ）に示す波形となる。また入力電流Ｉ１及び入力電圧Ｖ１は図２の（ｄ）に示す波形となる。このように交流電源２１からの入力電流Ｉ１が連続して流れることにより入力電流Ｉ１の高調波成分が介入するのを阻止している。」
i.「【００５０】図１２に示すものは交流電源２１にインダクタ２２を介して第１のコンデンサ２４１を接続し、その第１のコンデンサ２４１に全波整流回路２３の入力端子を接続し、全波整流回路２３の出力端子に第２のコンデンサ２６を接続したものである。このようにすればダイオード２５の役目を全波整流回路２３のダイオードが果たすことができるのでダイオード２５を省くことができる。なお、本実施例においても前記実施例と同様の効果が得られるのは勿論である。」
　以上の各記載から、少なくとも以下のことが明らかである。
（１）交流電源電圧の周波数について、先願明細書中に格別記載はないが、上記記載a.から、その交流電源は例えば放電灯を駆動するものであって、かかる放電灯を駆動する交流電源としては通常低周波の商用交流電源が利用されるものと解され、また、先願明細書の交流電源２１の周波数がその高周波インバータの周波数よりも低いことは自明であるから、結局、その交流電源電圧の周波数は「低周波」であるといえる。
（２）図１２に示す実施例のものにおいて、図１の実施例のものと共通する回路部分（コンデンサ２６，２９、スイッチングトランジスタ３２等）は、当然図１の共通する当該回路部分と同一の機能（作用・効果）を奏する。
（３）スイッチングトランジスタ３２は、交流電源２１からの交流電圧が全波整流回路２３により全波整流された直流電圧が入力されることとなるから、当然「入力される直流電圧」をスイッチングするものである。
（４）記載f.（及び図２）から、全波整流回路２３の出力電圧の波高値が（該充電用コンデンサ２９の充電電圧Ｖｃ６と比べて）相対的に大きい山部の期間（ＴＡ期間）において、充電用コンデンサ２９は、前記スイッチングトランジスタ３２のオフ期間に電気エネルギーが蓄電されるように配設されたものである。
（５）記載h.（及び図２）から、前記全波整流回路２３の出力電圧の波高値が相対的に小さい谷部の期間（ＴＢ期間）において、前記スイッチングトランジスタ３２のオフ期間には、前記充電用コンデンサ２９に蓄電された電気エネルギーが前記第２のコンデンサ２６に供給される。
（６）記載g.と記載i.（及び図２と図１２）から、前記谷部の期間（ＴＢ期間）であって、前記スイッチングトランジスタ３２のオン期間には、前記第２のコンデンサ２６の電気エネルギーが前記インバータ回路３０に供給されるとともに、前記第２のコンデンサの電圧値Ｖｃ２が第１のコンデンサ２４１の電圧値Ｖｃ１よりも低くなると第１のコンデンサ２４１から前記インバータ回路３０に電力供給する。
（７）記載c.から、その全波整流回路２３はダイオードブリッジからなる（即ち、全てダイオードからなる）ものである。
　以上のことから、上記先願明細書（第１２図の実施例）には、少なくとも「低周波の交流電源電圧を全波整流する全波整流回路２３と；
　この全波整流回路の出力端間に設けられた第２のコンデンサ２６と；
　前記全波整流回路の入力端間に設けられた第１のコンデンサ２４１と；
　入力される直流電圧をスイッチングするスイッチングトランジスタ３２を有し、前記全波整流回路および前記第２のコンデンサの出力側に設けられて前記交流電源よりも高い周波数の電圧を発生するインバータ回路３０と；
　前記全波整流回路の出力電圧の波高値が相対的に大きい山部の期間において、前記スイッチングトランジスタのオフ期間に電気エネルギーが蓄電されるように配設された充電用コンデンサ２９と；を具備し、
前記全波整流回路の出力電圧の波高値が相対的に小さい谷部の期間において、前記スイッチングトランジスタのオフ期間には、前記充電用コンデンサに蓄電された電気エネルギーが前記第２のコンデンサ２６に供給され、前記スイッチングトランジスタのオン期間には、前記第２のコンデンサ２６の電気エネルギーが前記インバータ回路に供給されるとともに、前記第２のコンデンサの電圧値Ｖｃ６が第１のコンデンサの電圧値Ｖｃ１よりも低くなると第１のコンデンサから前記インバータ回路に電力供給するように構成された電源装置において、
　前記全波整流回路２３は、ダイオードブリッジからなることを特徴とする電源装置。」との発明が記載されているものと認められる。
　
【３】対比・判断
　先願明細書に記載された発明（前者）と本願発明（後者）とを対比すると、前者の「全波整流回路２３」、「第２のコンデンサ２６」、「第１のコンデンサ２４１」、「スイッチングトランジスタ３２」、「（高周波）インバータ回路３０」及び「充電用コンデンサ２９」が、それぞれその順に、後者の「整流装置」、「第１の蓄電装置」、「第２の蓄電装置」、「スイッチング装置」、「インバータ」及び「第３の蓄電装置」に相当することは明らかである。
　また、両者は、その整流装置（全波整流回路）について、少なくともダイオードを含む点で共通する。
　したがって、両者は、以下の一致点及び一応の相違点（１，２）を有する。
・（一致点）
「低周波の交流電源電圧を全波整流する整流装置と；
　この整流装置の出力端間に設けられた第１の蓄電装置と；
　前記整流装置の入力端間に設けられた第２の蓄電装置と；
　入力される直流電圧をスイッチングするスイッチング装置を有し、前記整流装置および前記第１の蓄電装置の出力側に設けられて前記交流電源よりも高い周波数の電圧を発生するインバータと；
　前記整流装置の出力電圧の波高値が相対的に大きい山部の期間において、（前記スイッチング装置のオン又はオフ期間に）電気エネルギーが蓄電されるように配設された第３の蓄電装置と；を具備し、
前記整流装置の出力電圧の波高値が相対的に小さい谷部の期間において、前記スイッチング装置のオフ期間には、前記第３の蓄電装置に蓄電された電気エネルギーが前記第１の蓄電装置に供給され、前記スイッチング装置のオン期間には、前記第１の蓄電装置の電気エネルギーが前記インバータに供給されるとともに、前記第１の蓄電装置の電圧値が第２の蓄電装置の電圧値よりも低くなると第２の蓄電装置から前記インバータに電力供給するように構成された電源装置において、
　前記整流装置は、少なくともダイオードを含むことを特徴とする電源装置。」
・（相違点１）
　整流装置の出力電圧の波高値が相対的に大きい山部の期間において、第３の蓄電装置（充電用コンデンサ）に電気エネルギーが蓄電されるスイッチング装置（スイッチングトランジスタ）のスイッチング期間が、本願発明ではオン期間であるのに対し、先願明細書に記載の発明ではオフ期間である点。
・（相違点２）
　本願発明は、（低周波の交流電源電圧を全波整流する）整流装置は、前記インバータの高い周波数に対し応答速度の速いダイオードを含んでなり、前記スイッチング装置の動作時に前記ダイオードの逆回復時間に流れる逆方向電流を低減した構成を備えるのに対し、先願明細書に記載の発明は、そのダイオードブリッジからなる全波整流回路２３（整流装置）について、かかる構成の限定がない点。
　上記相違点（１，２）につき、以下に検討する。
・相違点１について
　先願明細書記載の発明において、（全波整流回路２３の出力電圧の波高値が相対的に大きい山部の期間における）充電用コンデンサ２９へ電気エネルギーを蓄電するスイッチングトランジスタ３２のスイッチング期間をそのオフ期間からオン期間に転換することは、例えば実施例として図１２（又は図１）に開示された３次巻線３１ｃの極性を（前記スイッチングトランジスタの）オフ期間に（該３次巻線３１ｃに）電圧が誘起される極性からオン期間に電圧が誘起される極性に単に逆転させる設計変更としてなしうることであり、それにより格別の効果を奏するものとも認められない。即ち、上記相違点１は単なる設計的事項であって何ら実質的なものとはいえない。
・相違点２について
　先願明細書記載の発明（図１２の実施例）において、スイッチングトランジスタ３２の高周波スイッチング動作に基づく、充電用コンデンサ２９を含む回路（インダクタ２８及び第２のコンデンサ２６から成る共振回路）からの急峻な電流が全波整流回路２３に逆流することは当業者が容易に理解するところであって、かかる逆流を防止すべきことは当業者であればきわめて容易に想起できる課題であるといえる。また、電源装置の技術分野に係る、交流電源からの交流入力を全波整流する整流回路において、その整流回路の整流ダイオードが高周波電圧によってオンオフされるために、又、その整流ダイオードの動作に基づく電源周波数を基本波とする高調波ノイズ（入力雑音電圧）を防止するために、当該整流ダイオードとして応答速度の速い、所謂「高速ダイオード」を用いることは本願出願前に周知・慣用の技術であったものと認められる。｛要すれば、（前者の）高周波電圧によりオンオフされるものとして、文献１；特開平１−２５２１７５号公報（第８図の装置）、（後者の）高調波ノイズを防止するものとして、文献２；実願平１−１０１６７７（実開平３−４０８９１）のマイクロフィルム、文献３；実願平１−１５３０３２（実願平３−９２０５５）のマイクロフィルム、等参照のこと。｝
　そうすると、先願明細書記載の発明において、充電用コンデンサ２９を含む回路からの急峻な電流が全波整流回路２３に逆流することを防止するために、その全波整流回路２３のダイオードとして上記周知・慣用の技術に係る高速ダイオードを用いることは当業者がきわめて容易に着想できるところであって、その際、その高速ダイオードの応答速度がインバータ回路３０の高い周波数に対し応答速度の速いものとなることは当然のことであり、かかる高速ダイオードの採用によれば、前記スイッチングトランジスタの動作時に前記ダイオードの逆回復時間に流れる逆方向電流を低減することとなることは自明のこと（必然）である。
　即ち、本願発明の上記相違点２は、先願明細書記載の発明においてその全波整流回路（整流装置）に前記周知・慣用の技術を適用したものに相当し、その点に格別の効果を認めることもできないから、単なる周知・慣用技術の付加にすぎないものというべきである。
　
【４】むすび
　したがって、本願請求項１に係る発明は、先願明細書に記載された発明と同一であり、しかも、本願発明の発明者が上記先願明細書に記載された発明の発明者と同一であるとも、また、本願の出願時に、その出願人が上記の先願の出願人と同一であるとも認められないので、本願請求項１に係る発明は、特許法第２９条の２第１項の規定により特許を受けることができない。
　よって、結論のとおり審決する。